(57)【特許請求の範囲】
【請求項１】
スクイズ可能な容器の口筒部に装着されるキャップであって、
口筒部に装着され、注出孔を有するキャップ基体と、
キャップ基体に第１ヒンジ部を介して連設され、噴霧孔を有し、注出孔を開閉する下蓋と、
下蓋に装着され、噴霧孔を開閉する上蓋とを備え、
キャップ基体は、下蓋の噴霧孔に対して突出するボス部を含み、
下蓋は、ボス部と嵌合して、噴霧孔を中心とする嵌合空間にスピン室を形成する凹部を含み、
下蓋を開閉することで、内容液を注出孔から注出するか、噴霧孔から噴霧するかを切り換えることを特徴とするスクイズ容器用キャップ。
【請求項２】
スピン室は、旋回流路を形成するスピン溝を有することを特徴とする請求項１に記載のスクイズ容器用キャップ。
【請求項３】
スピン溝は、注出孔と連通溝を介して連通することを特徴とする請求項２に記載のスクイズ容器用キャップ。
【請求項４】
スピン溝は、下蓋の凹部底面またはキャップ基体のボス部天面に形成されることを特徴とする請求項２または３に記載のスクイズ容器用キャップ。
【請求項５】
連通溝は、下蓋の凹部内周またはキャップ基体のボス部外周に形成されることを特徴とする請求項３または４に記載のスクイズ容器用キャップ。
【請求項６】
下蓋と上蓋は、第２ヒンジ部を介して連設される２段式ヒンジキャップであることを特徴とする請求項１〜５のいずれかに記載のスクイズ容器用キャップ。
【発明の詳細な説明】
【技術分野】
【０００１】
本発明は、洗剤や化粧料、調味料等の内容液を収容し、胴部をスクイズ（圧搾）して押し出すスクイズ容器に装着して使用する注出切り換え可能なスクイズ容器用キャップに関するものである。
【背景技術】
【０００２】
合成樹脂製の容器の胴部をスクイズ（圧搾）して、容器内の内容液を加圧注出するスクイズ容器は、従来から周知である。
しかし、従来のスクイズ容器は、洗剤や化粧料等の内容液を液体のまま直接噴出させるようにしたものであり、比較的広い範囲に内容液を霧状にして振りかける時などに不都合があった。
【０００３】
この不都合を解消するために、スクイズ容器の口頸部に装着された固定キャップ側に、直接噴出用通液溝と噴霧通液溝を並設し、一方この固定キャップ頂部に回動可能に取付けられるヘッドキャップに注出孔を穿設し、このヘッドキャップの回動位置により、直接噴出または噴霧可能な状態および噴出、噴霧ともに不能な状態を選択できるようにしたものが従来から知られている（例えば、特許文献１参照）。
【先行技術文献】
【特許文献】
【０００４】
【特許文献１】実公平６−８０３６号公報
【発明の概要】
【発明が解決しようとする課題】
【０００５】
しかしながら、上記特許文献１記載の注出切換えキャップは、同じ注出孔から直接噴出の液体と噴霧の霧状体を注出しているので、直接噴出で多量に抽出する場合に、容器の胴部を強くスクイズする必要があった。
また、上述の問題を解消するために、注出孔を大きくすると噴霧ができないという問題があった。
【０００６】
本発明は、上記問題を解決することを課題とし、内容液を霧状にして噴霧するときは容器をスクイズし、また、内容液を液状で適量注出するときはスクイズする必要がないように、切り換え可能なスクイズ容器用キャップを提供することを目的とする。
【課題を解決するための手段】
【０００７】
本発明は、上記の課題を解決するため、スクイズ容器用キャップとして、スクイズ可能な容器の口筒部に装着されるキャップであって、口筒部に装着され、注出孔を有するキャップ基体と、キャップ基体に第１ヒンジ部を介して連設され、噴霧孔を有し、注出孔を開閉する下蓋と、下蓋に装着され、噴霧孔を開閉する上蓋とを備え、キャップ基体は、下蓋の噴霧孔に対して突出するボス部を含み、下蓋は、ボス部と嵌合して、噴霧孔を中心とする嵌合空間にスピン室を形成する凹部を含み、下蓋を開閉することで、内容液を注出孔から注出するか、噴霧孔から噴霧するかを切り換えることを特徴とする構成を採用する。
【０００８】
スクイズ容器用キャップの実施形態として、スピン室は、旋回流路を形成するスピン溝を有することを特徴とする構成を採用し、また、スピン溝は、注出孔と連通溝を介して連通することを特徴とする構成を採用する。
スピン溝の具体的実施形態として、スピン溝は、下蓋の凹部底面またはキャップ基体のボス部天面に形成されることを特徴とする構成を採用する。
【０００９】
連通溝の具体的実施形態として、連通溝は、下蓋の凹部内周またはキャップ基体のボス部外周に形成されることを特徴とする構成を採用する。
さらに、スクイズ容器用キャップの具体的実施形態として、下蓋と上蓋は、第２ヒンジ部を介して連設される２段式ヒンジキャップであることを特徴とする構成を採用する。
【発明の効果】
【００１０】
本発明のスクイズ容器用キャップは、注出孔を有するキャップ基体と、キャップ基体に第１ヒンジ部を介して連設され、噴霧孔を有し、注出孔を開閉する下蓋とを備え、キャップ基体は、下蓋の噴霧孔に対して突出するボス部を含み、下蓋は、ボス部と嵌合して、噴霧孔を中心とする嵌合空間にスピン室を形成する凹部を含み、下蓋を開閉することで、内容液を注出孔から注出するか、噴霧孔から噴霧するかを切り換えることにより、内容液を霧状にして噴霧するときは容器をスクイズし、また、内容液を液状で適量注出するときはスクイズする必要がないようにすることができる。
【００１１】
また、本発明のスクイズ容器用キャップは、噴霧を必要としない時は、スクイズ容器をスクイズして注出しても、そのままスクイズ容器を傾けて注出することもできる。
【００１２】
さらに、本発明におけるスクイズ容器用キャップは、キャップ基体のボス部と下蓋の凹部とを嵌合させることによりスピン室を形成する構造であるため、スピン溝や連通溝をボス部または凹部に形成することでキャップを一体成型することができる。
これにより、噴霧に不可欠なスピン室を形成するために別体のパーツを必要としないので、製造コストを低減することができる。
【図面の簡単な説明】
【００１３】
【図１】本発明の実施例である２段式ヒンジキャップをスクイズ容器に装着した状態を示す側断面図である。
【図２】本発明の実施例である２段式ヒンジキャップを示す展開側断面図である。
【図３】本発明の実施例である２段式ヒンジキャップのキャップ基体を示す図であり、（ａ）は上面図、（ｂ）は側断面図であり、（ｃ）は下面図である。
【図４】本発明の実施例である２段式ヒンジキャップの下蓋を示す図であり、（ａ）は側断面図、（ｂ）は下面図であり、（ｃ）は（ｂ）の部分拡大図である。
【図５】本発明の実施例における噴霧状態を示す図であり、（ａ）は上蓋を開いたときの状態を示す側断面図であり、（ｂ）はその部分拡大図である。
【図６】本発明の実施例における適量注出状態を示す図である。
【発明を実施するための形態】
【００１４】
次に、本発明のスクイズ容器用キャップを２段式ヒンジキャップとして具体化した実施例について、図面を参照して説明する。
【実施例】
【００１５】
図１において、Ａは内容液が充填されるスクイズ容器、Ｂはスクイズ容器Ａに装着され、スクイズ容器Ａの開口を被冠する２段式ヒンジキャップである。
【００１６】
図１および図２に示すように、２段式ヒンジキャップＢは、キャップ基体Ｃと、キャップ基体Ｃに第１ヒンジ部Ｄ１を介して連設される下蓋Ｅと、下蓋Ｅに第２ヒンジ部Ｄ２を介して連設される上蓋Ｆとから構成されている。
【００１７】
スクイズ容器Ａは、合成樹脂により成型され、スクイズ可能な胴部１と、胴部１の上部に形成される口筒部２とから構成されている。
キャップ基体Ｃを装着するスクイズ容器Ａの口筒部２には、環状に突出する係合突条３と、その下方に続くくびれ凹部４が形成されている。
【００１８】
図１および図３に示すように、キャップ基体Ｃは、スクイズ容器Ａの口筒部２の上端を閉塞する隔壁５と、隔壁５の周縁に立設され、スクイズ容器Ａの口筒部２内周に嵌合する内筒６と、内筒６の上端部と連設する基壁７と、基壁７の外周縁に連設し口筒部２の外周に嵌合する外筒８と、基壁７の上端外周面に設けられ下蓋Ｅに係止して閉蓋状態を保持する環状の第１蓋係止部９と、外筒８の下端外周で一定の間隔をおいて連設され、上端外周の所定個所に第１ヒンジ部Ｄ１を連設する外周筒部１０と、隔壁５上に立設される注出筒１１とから構成されている。
【００１９】
図３（ａ）に示すように、隔壁５は、注出筒１１の内側から中心に向けて３本の架橋部１２が形成され、架橋部１２の内方には、円形の天面１３ａと円筒形の外周面１３ｂとからなり、内面が外面から一定の厚さで窪んだ円柱台形状のボス部１３が上方に向けて突設されている。
このため、注出筒１１の内側で架橋部１２が存在しない部分、すなわち、架橋部１２により区画される部分は、注出孔１４として機能し、第1ヒンジ部Ｄ１と反対側に設けられる注出孔１４は、内容液を注出する際に使用し、第1ヒンジ部Ｄ１側に設けられる注出孔１４は、空気置換孔として機能する。
なお、本実施例では、注出筒１１とボス部１３を接続するために３本の架橋部１２を形成しているが、架橋部１２の数は複数本であれば、いくつでもよく、架橋部１２に替えて適宜な形状の注出孔を注出筒１１とボス部１３との間の隔壁５に一つ以上穿設するものであっても構わない。
【００２０】
第１蓋係止部９は、基壁７の上端外周面に突出する膨出部１５として形成され、膨出部１５に続く下方には係合凹部１６が形成されている。
外筒８は、内周にスクイズ容器Ａのくびれ凹部４に嵌合する環状の嵌合突条１７が形成され、下端部外周には、第１ヒンジ部Ｄ１の反対側に設けられる連結片１８と、それ以外の部分に間隔をおいて複数配設される破断可能な弱化片１９とを介して外周筒部１０が連設されており、外周筒部１０の上端には第１ヒンジ部Ｄ１を介して下蓋Ｅが連設されている。
【００２１】
図４に示すように、下蓋Ｅは、円形平板状に形成され、上面中央部が上面周辺部よりも一段厚く形成されている下頂壁２０と、下頂壁２０の周縁から垂設される下側周壁２１とから構成され、下側周壁２１の内周下端部には、第１蓋係止部９の係合凹部１６に係合する環状の縮径突条２２が設けられている。
また、下側周壁２１の外周下端部には、キャップ基体Ｃと連設される第１ヒンジ部Ｄ１が設けられるとともに、下側周壁２１の第１ヒンジ部Ｄ１と反対側の外周上端部には、上蓋Ｆと連設される第２ヒンジ部Ｄ２が設けられている。
第１ヒンジ部Ｄ１は、後述する上蓋Ｆの摘み部４４より径方向外方に突出しない構造としており、好ましくは、径方向外方に可能な限り突出しない形状がよい。
【００２２】
下頂壁２０の下面には、閉蓋時に注出筒１１の内周を密封する筒状の第１密封リング２３が垂設されるとともに、第１密封リング２３の内方には、筒状の周壁２５が垂設されている。
周壁２５は、下頂壁２０の下面とともに凹部２４を形成するものであり、凹部２４は、底面２４ａと内周２４ｂとから構成されている。
【００２３】
凹部２４は、特に図４（ｃ）に示すように、内周２４ｂに縦方向の連通溝２６が等間隔で３本形成されており、凹部２４をボス部１３に嵌合させることにより、連通溝２６は、注出孔１４とスピン室Ｇとを連通させる。
凹部２４の底面２４ａには、中心部に噴霧孔２７が下頂壁２０を貫通して穿設され、底面２４ａの周縁部に沿って、連通溝２６と接続される環状溝２８が形成されている。
なお、連通溝２６は、環状溝２８を介してずれた位置に３本のスピン溝２９を形成している。
【００２４】
なお、本実施例では、連通溝２６は、凹部２４の内周２４ｂに形成されているが、ボス部１３の外周面１３ｂに形成されてもよく、また、環状溝２８およびスピン溝２９は、凹部２４の底面２４ａに形成されているが、ボス部１３の天面１３ａに形成されてもよい。
また、本実施例では、連通溝２６およびスピン溝２９の数は、３本であるが、複数本であれば、いくつでもよい。
【００２５】
下頂壁２０の上面には、下側周壁２１よりも径が小さい筒状の縦壁３０が立設され、縦壁３０の上端外周面には、上蓋Ｆに係止して閉蓋状態を保持する環状の第２蓋係止部３１が形成されている。
さらに、下頂壁２０の上面には、縦壁３０の内側で、噴霧孔２７の周囲に筒状の噴霧筒３２が立設され、噴霧筒３２の内側の下頂壁２０上面に、すり鉢部３３が形成されている。
【００２６】
図１および図２に示すように、上蓋Ｆは、上頂壁４０と、上頂壁４０の周縁から垂設される上側周壁４１とから構成され、上側周壁４１の内周下端部には、第２蓋係止部３１に係合する環状の係止凹条４２が設けられている。
上頂壁４０の下面には、下蓋Ｅの噴霧筒３２の内周面を密封する第２密封リング４３が垂設されている。
【００２７】
さらに、上側周壁４１の外周下端部には、下蓋Ｅと連設される第２ヒンジ部Ｄ２が設けられるとともに、第２ヒンジ部Ｄ２と反対側の外周下端部には、開蓋する際に手指をかける摘み部４４が設けられている。
なお、本実施例では、下蓋Ｅと上蓋Ｆとを第２ヒンジ部Ｄ２を介して連設する２段式ヒンジキャップとして具体化しているが、上蓋Ｆは、第２ヒンジ部Ｄ２を無くしてアンダーカットや螺合等で下蓋Ｅと嵌合させたものであっても構わない。
【００２８】
つぎに、本実施例の使用態様と作用効果について説明する。
本実施例の２段式ヒンジキャップＢは、まず、図２に示すように、キャップ基体Ｃと下蓋Ｅと上蓋Ｆとを展開した状態で、射出成型により一体で作製する。
そして、第１ヒンジ部Ｄ１を折り曲げることにより、キャップ基体Ｃに下蓋Ｅで閉蓋すると、キャップ基体Ｃのボス部１３と下蓋Ｅの凹部２４とが嵌合することにより、ボス部１３の天面１３ａと凹部２４の底面２４ａとの間にスピン室Ｇが形成される。
つづいて、第２ヒンジ部Ｄ２を折り曲げることにより、下蓋Ｅに上蓋Ｆで閉蓋する。
以上により、２段式ヒンジキャップＢの組み立てが完了する。
このように、本実施例の２段式ヒンジキャップＢは、一つの部品から構成されるため、簡単に組み立てることができる。
【００２９】
つぎに、スクイズ容器Ａに２段式ヒンジキャップＢを装着するには、スクイズ容器Ａに内容液を充填した後、図１に示すように、２段式ヒンジキャップＢを閉蓋状態でスクイズ容器Ａの口筒部２に打栓して装着する。
打栓工程は、内筒６と外筒８との間に形成される環状溝部にスクイズ容器Ａの口筒部２を当てがい、上蓋Ｆの上から押圧力が加えられ、外筒８の嵌合突条１７が口筒部２の係合突条３を乗り越えてくびれ凹部４に嵌合し、口筒部２が、内筒６の外周と外筒８の内周と基壁７とによって挟持され装着される。
なお、本実施例では、２段式ヒンジキャップＢは、内筒６と外筒８との間に形成される環状溝部とスクイズ容器Ａの口筒部２との嵌合によって装着されているが、２段式ヒンジキャップＢは、スクイズ容器Ａの口筒部２に螺合などの他の方法により装着するものであっても構わない。
【００３０】
本実施例の２段式ヒンジキャップＢが装着されたスクイズ容器Ａを使用して内容液を噴霧するには、図１に示す状態から、上蓋Ｆの摘み部４４を持ち上げると、第２蓋係止部３１に係合する環状の係止凹条４２が変形することにより、第２蓋係止部３１との係止が解放され、上蓋Ｆは第２ヒンジ部Ｄ２を中心に回転させられ、上蓋Ｆが開蓋される。
このとき、上蓋Ｆが開蓋されても、キャップ基体Ｃの第１蓋係止部９の係合凹部１６と下蓋Ｅの縮径突条２２とが係合した状態にあるので、下蓋Ｅは、閉蓋状態を維持し、スピン室Ｇを形成することができる。
【００３１】
つぎに、図５に示すように、スクイズ容器Ａを傾けたまま、胴部１をスクイズすると、スクイズ容器Ａ内の内容液は、注出孔１４から連通溝２６を介してスピン室Ｇ内に流入する。
すると、図４（ｃ）に示すように、連通溝２６からスピン室Ｇ内に流入した内容液は、環状溝２８を介してスピン溝２９に矢印Ｈで示す流入方向で、円弧を描いて旋回して達するのでスピンがかかり、噴霧孔２７から霧状となって噴霧することができる。
【００３２】
スクイズ容器Ａ内の内容液を霧状にするための機構として、第１ヒンジ部Ｄ１を介して連設され、キャップ基体Ｃのボス部１３と下蓋Ｅの凹部２４とを嵌合させることにより、スピン室Ｇを形成するようにしているので、噴霧を必要としないときには、簡単にスピン室Ｇを構成するボス部１３と凹部２４との嵌合を解くことができ、必要なパーツの取り外しを必要としないので、パーツの紛失を防止できる。
【００３３】
また、噴霧を必要としない時は、図１に示す状態から図６に示すように、第２ヒンジ部Ｄ２を持ち上げ、下蓋Ｅを開蓋することで、それまで下頂壁２０により閉塞されていた注出孔１４が開放される。
これにより、スクイズ容器Ａの胴部１をスクイズして注出することも、そのままスクイズ容器を傾けて注出することもできる。
このため、従来のキャップが装着されたスクイズ容器と同様に、胴部をスクイズして内容液を適量注出することもできるし、また、容器をそのまま傾けて注出することもできる。
【００３４】
つぎに、スクイズ容器Ａを使用した後、下蓋Ｅを閉蓋すると、図１に示すように、注出孔１４を下頂壁２０により閉塞するとともに、上蓋Ｆの下面から垂設される第１密閉リング２３により注出筒１１の内周を密封することができる。
これにより、注出孔１４から連通溝２６およびスピン室Ｇを介して噴霧孔２７から内容液が浸み出しても、噴霧筒３２の内周を第２密封リング４３により密封することができるので、不用意に内容液が漏れ出すおそれがない。
【００３５】
また、本実施例の２段式ヒンジキャップＢは、スクイズ容器Ａの内容液を使用した後に、スクイズ容器Ａの口筒部２から分離して廃棄することができる。
スクイズ容器Ａを立てた状態で、図６に示すように、上蓋Ｆを閉蓋した状態で下蓋Ｅを開蓋して、そのまま外方に引っ張ると、キャップ基体Ｃの外筒８と外周筒部１０とを連結する弱化片１９が破断して、外周筒部１０の第１ヒンジ部Ｄ１側が外筒８から引き離され、さらに下蓋Ｅを上方に引っ張ると、連結片１８に連結された部分からめくれあがるようにして外筒８をスクイズ容器Ａの口筒部２から簡単に外すことができる。
【産業上の利用可能性】
【００３６】
本発明のスクイズ容器用キャップは、２段式ヒンジキャップに限らず、上蓋のヒンジを無くしてアンダーカット等で嵌合させたキャップにも適用でき、粘性の低い液体を収容するスクイズ容器のキャップとして広く使用することができるものであり、特に、洗剤や化粧料、調味料などを充填して、霧状の噴霧と液状の適量注出とを切り換えて使用するスクイズ容器のキャップとして好適である。
【符号の説明】
【００３７】
Ａ        スクイズ容器
Ｂ        ２段式ヒンジキャップ
Ｃ        キャップ基体
Ｄ１      第１ヒンジ部
Ｄ２      第２ヒンジ部
Ｅ        下蓋
Ｆ        上蓋
Ｇ        スピン室
Ｈ        流入方向
１        胴部
２        口筒部
３        係合突条
４        くびれ凹部
５        隔壁
６        内筒
７        基壁
８        外筒
９        第１蓋係止部
１０        外周筒部
１１        注出筒
１２        架橋部
１３        ボス部
１３ａ      天面
１３ｂ      外周面
１４        注出孔
１５        膨出部
１６        係合凹部
１７        嵌合突条
１８        連結片
１９        弱化片
２０        下頂壁
２１        下側周壁
２２        縮径突条
２３        第１密封リング
２４        凹部
２４ａ      底面
２４ｂ      内周
２５        周壁
２６        連通溝
２７        噴霧孔
２８        環状溝
２９        スピン溝
３０        縦壁
３１        第２蓋係止部
３２        噴霧筒
３３        すり鉢部
４０        上頂壁
４１        上側周壁
４２        係止凹条
４３        第２密封リング
４４        摘み部
【図１】
0006351470.tif 000002
【図２】
0006351470.tif 000003
【図３】
0006351470.tif 000004
【図４】
0006351470.tif 000005
【図５】
0006351470.tif 000006
【図６】
0006351470.tif 000007